(57)【要約】【課題】パチンコ遊技機の遊技球誘導装置のステージ部における新たな誘導態様を提供することで遊技者に対して興趣のある遊技を提供する。【解決手段】ステージ部３１は、遊技領域の左右方向に延びる第１遊技球揺動通路３２と、第１遊技球揺動通路３２より遊技盤３の盤面に対して前方で、且つ、第１遊技球揺動通路３２の下方に配置された第２遊技球揺動通路３３と、第２遊技球揺動通路３３を後方から前方に跨いで配置され第１遊技球揺動通路３２上の遊技球を上始動口１３の上方へ落下させる第１遊技球誘導通路３５と、第２遊技球揺動通路３３の下方に配置され第２遊技球揺動通路３３上の遊技球を上始動口１３の上方へ落下させる第２遊技球誘導通路３４とを備えるようにした。【選択図】図３
2008043460.tif 000002
【特許請求の範囲】
【請求項１】
遊技盤の遊技領域に発射された遊技球が入る遊技球入口と、該遊技球入口より下方の位置に配置された遊技球出口と、前記遊技球入口と前記遊技球出口とを繋ぐ誘導通路と、前記遊技領域に配置された特定入賞口と、該特定入賞口の上方に配置され前記遊技球出口からの遊技球を一旦受けた後で落下させるステージ部と、を備えた遊技球誘導装置において、
前記ステージ部は、前記遊技領域の左右方向に延びる第１遊技球揺動通路と、該第１遊技球揺動通路より前記遊技盤面に対して前方で且つ前記第１遊技球揺動通路の下方に配置された第２遊技球揺動通路と、該第２遊技球揺動通路上を後方から前方に跨いで配置され前記第１遊技球揺動通路上の遊技球を前記特定入賞口の上方へ落下させる第１遊技球誘導通路と、前記第２遊技球揺動通路の下方に配置され前記第２遊技球揺動通路上の遊技球を前記特定入賞口の上方へ落下させる第２遊技球誘導通路と、を備えることを特徴とする遊技球誘導装置。
【請求項２】
前記第１遊技球揺動通路は、前記第１遊技球誘導通路に遊技球を誘導する第１誘導面と、前記第２遊技球揺動通路に遊技球を誘導する第２誘導面と、を有し、前記第２遊技球揺動通路には前記第２遊技球誘導通路に遊技球を誘導する第３誘導面と、前記第２遊技球誘導通路以外の領域に遊技球を誘導する第４誘導面と、を有することを特徴とする請求項１に記載の遊技球誘導装置。
【請求項３】
前記第１及び第２遊技球誘導通路には遊技球を前記特定入賞口に誘導するための２本の誘導溝が形成されていることを特徴とする請求項１または２に記載の遊技球誘導装置。
【請求項４】
前記第１遊技球誘導通路は、前記第２遊技球揺動通路上の遊技球を視認するためのスリット部を有することを特徴とする請求項１乃至３の何れか１項に記載の遊技球誘導装置。
【請求項５】
前記第１遊技球誘導通路は、透明部材により構成されていることを特徴とする請求項１乃至４の何れか１項に記載の遊技球誘導装置。
【請求項６】
請求項１乃至請求項５の何れか１項に記載の遊技球誘導装置を備えたことを特徴とするパチンコ遊技機。
【発明の詳細な説明】
【技術分野】
【０００１】
本発明はパチンコ遊技機等に設けられる遊技球誘導装置に関するものである。
【背景技術】
【０００２】
従来より、特定入賞口に遊技球が入る度に、液晶表示装置などの図柄表示装置により複数種類の図柄が表示され、表示図柄が所定図柄で停止すると大当たり状態になるパチンコ遊技機が知られている。この種のパチンコ遊技機には、遊技盤の遊技領域を流下する遊技球の流下態様を面白くし、かつ遊技領域に配設された特定入賞口、例えば図柄表示装置の変動契機である始動口に遊技球を誘導することを目的としてワープ式誘導装置と呼ばれる遊技球誘導装置が設けられている。
遊技球誘導装置は、図柄表示装置を囲む飾り枠を兼ねた構造になっており、遊技球が入る遊技球入口と、遊技球入口から入球した遊技球を誘導する複数の遊技球誘導通路と、遊技球誘導通路からの遊技球を一旦受けた後、前縁部から落下させるステージ部と、を備えている。ステージ部は、前記始動口の上方に位置しており、ここから遊技球を落下させることで、前記始動口に入球しやすくしたり、入球しそうな状態を頻繁に作り出したりすることができる。
なお、先行文献として特許文献１、２等には、ステージ部における遊技球の流下態様の多様化を図ることにより遊技性を高めるようにしたパチンコ遊技機の遊技球誘導装置が開示されている。
【０００３】
【特許文献１】特開２００３−２２５３８３公報
【特許文献２】特開２００５−１５２２０４公報
【発明の開示】
【発明が解決しようとする課題】
【０００４】
上記のように従来からパチンコ遊技機では、遊技球誘導装置のステージ部において遊技球の誘導態様の多様化を図ることで、遊技者に対して興趣のある遊技を提供するようにしていたが、遊技球誘導装置における遊技球の誘導態様は、遊技者が目にする時間が長く飽きられ易いため、新たな誘導態様は常に求められていた。
そこで、本発明は上記した点を鑑みてなされたものであり、パチンコ遊技機の遊技球誘導装置のステージ部における新たな誘導態様を提供することで、遊技者に対して興趣のある遊技を提供することを目的とする。
【課題を解決するための手段】
【０００５】
上記目的を達成するため、本発明は、遊技盤の遊技領域に発射された遊技球が入る遊技球入口と、該遊技球入口より下方の位置に配置された遊技球出口と、前記遊技球入口と前記遊技球出口とを繋ぐ誘導通路と、前記遊技領域に配置された特定入賞口と、該特定入賞口の上方に配置され前記遊技球出口からの遊技球を一旦受けた後で落下させるステージ部と、を備えた遊技球誘導装置において、前記ステージ部は、前記遊技領域の左右方向に延びる第１遊技球揺動通路と、該第１遊技球揺動通路より前記遊技盤面に対して前方で且つ前記第１遊技球揺動通路の下方に配置された第２遊技球揺動通路と、該第２遊技球揺動通路上を後方から前方に跨いで配置され前記第１遊技球揺動通路上の遊技球を前記特定入賞口の上方へ落下させる第１遊技球誘導通路と、前記第２遊技球揺動通路の下方に配置され前記第２遊技球揺動通路上の遊技球を前記特定入賞口の上方へ落下させる第２遊技球誘導通路と、を備えることを特徴とする。
また本発明の遊技球誘導装置は、前記第１遊技球揺動通路に前記第１遊技球誘導通路に遊技球を誘導する第１誘導面と、前記第２遊技球揺動通路に遊技球を誘導する第２誘導面と、を有し、前記第２遊技球揺動通路に前記第２遊技球誘導通路に遊技球を誘導する第３誘導面と、前記第２遊技球誘導通路以外の領域に遊技球を誘導する第４誘導面と、を有することを特徴とする。
【０００６】
また本発明の遊技球誘導装置は、前記第１及び第２遊技球誘導通路には遊技球を前記特定入賞口に誘導するための２本の誘導溝が形成されていることを特徴とする。
また本発明の遊技球誘導装置は、前記第１遊技球誘導通路には前記第２遊技球揺動通路上の遊技球を視認するためのスリット部を有することを特徴とする。
また本発明の遊技球誘導装置は、前記第１遊技球誘導通路は、透明部材により構成されていることを特徴とする。
また本発明のパチンコ遊技機は、本発明の遊技球誘導装置を備えたことを特徴とする。
【発明の効果】
【０００７】
本発明によれば、ステージ部に、第１及び第２遊技球揺動通路と、第２遊技球揺動通路を跨ぐように配置され第１遊技球揺動通路上の遊技球を特定入賞口の上方へ落下させる第１遊技球誘導通路と、第２遊技球揺動通路の下方に配置され第２遊技球揺動通路上の遊技球を特定入賞口の上方へ落下させる第２遊技球誘導通路とを設けたことで、複数の遊技球誘導経路を形成することが可能になるので遊技者に対して興趣のある遊技を提供することが可能になる。
特に、本発明では特定入賞口への入賞確率が高い遊技球の誘導経路として、第１遊技球揺動通路から遊技球を誘導する第１遊技球誘導通路と、第２遊技球揺動通路から遊技球を誘導する第２遊技球誘導通路とを設けたことで、遊技球誘導装置のステージ部における遊技球の流れが遊技者の興趣を高め、遊技者に飽きのこないゲーム性を提供することができる。
【０００８】
また本発明では第１及び第２遊技球誘導通路には遊技球を所定位置へ誘導するための２本の誘導溝を夫々形成したことで特定入賞口への遊技球の入賞確率をより高めることができる。
さらに本発明では、第２遊技球揺動通路を跨ぐように配置した第１遊技球誘導通路にスリット部を形成したことで、遊技者はこのスリット部を介して第２遊技球揺動通路上の遊技球が誘導面により後方側の第２遊技球誘導通路へと導かれて行く様子を視認することができる。
【発明を実施するための最良の形態】
【０００９】
以下、本発明の実施形態について説明する。
図１は、本発明の実施形態に係るパチンコ遊技機の全体正面図である。
図１に示すパチンコ遊技機１は、矩形形状の枠２を有し、この枠２の窓孔に対して遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４の遊技球を発射する発射レバー５等が設けられている。受け皿部４と発射レバー５との間の前面下部板６には遊技機用ボタンスイッチや、遊技球の購入ボタン、購入取り消しボタン、受け皿部４内の遊技球を下方から外部に抜くための球抜きボタンが設けられている。
【００１０】
図２は、遊技盤３の一例を示した正面図であり、この図２に示す遊技盤３の遊技領域８の略中央には、図柄表示装置９と、本発明に係る遊技球誘導装置２０が配置されている。なお、ここでの遊技領域は、遊技盤に設けられた遊技球を案内するための円弧状のレールの内側の領域を指すものとする。
図柄表示装置９は、例えば、液晶表示装置等の液晶表示パネルによって構成され、通常動作状態の時は、図示しない特別図柄画像が表示される。また特別遊技状態の時は特別遊技状態であることを示す演出画像等が表示される。
遊技球誘導装置２０は、図柄表示装置９を囲む飾り枠を兼ねた構造になっており、その左右両側上部に遊技球入口２１がそれぞれ形成されている。この遊技球入口２１に入球した遊技球は、図柄表示装置９の両側に配置された図２には示していないワープ通路を通って図柄表示装置９の下部に配置されたステージ部３１へと誘導され、ステージ部３１において遊技球を一旦受けた後、ステージ部３１の前縁部１２から落下させるような構造となっている。ステージ部３１の下方には、図柄表示装置９の特別図柄を可変表示させるための可動入賞装置１１が配置されており、ステージ部３１から遊技球を落下させることで可動入賞装置１１の上部に設けた上始動口１３に遊技球を入球し易くしたり、或いは上始動口１３へ入球しそうな状態を頻繁に作り出したりすることができる。なお、遊技球誘導装置２０の詳細な構造は後述する。
【００１１】
また、図柄表示装置９の左右両側には、普通図柄表示装置１０に表示される普通図柄を作動させるためのゲート１４が設けられている。また可動入賞装置１１の下方には、特別遊技状態の一つである大当たり状態のときに開成状態になる開閉扉を有する大入賞口１５が配置されている。
特定入賞口である可動入賞装置１１は、遊技盤３の遊技領域８の略中央下部に配置され、図柄表示装置９を可変表示させるための上始動口１３と左右一対の開閉爪（可動片）を有する電動式チューリップ１７とを備えて構成される。また遊技盤３には風車１６や図示しない普通入賞口１８、更には、その最下部にアウト口１９等が設けられている。
普通図柄表示装置１０に表示される普通図柄は、１個または複数個の図柄を変動表示可能であり、普通図柄始動口としてのゲート１４が遊技球を検出することを条件に、その図柄が乱数制御等により所定時間可変して停止するようになっている。普通図柄としては、数字図柄、アルファベット図柄、キャラクター図柄、その他の適宜の遊技図柄が使用される。この種のパチンコ遊技機ではゲート１４を遊技球が通過したことを条件に乱数制御により普通図柄が所定態様となった場合に、可動入賞装置１１に設けられた電動式チューリップ１７から成る可動片を所定時間、開成動作するように構成されている。
【００１２】
また図柄表示装置９に表示される特別図柄は、停止図柄が予め定められた図柄の組合せ、例えば同一図柄の組合せとなった場合に大当たり状態となるように構成されている。図柄表示装置９の特別図柄は、可動入賞装置１１の上始動口１３又は電動式チューリップ１７の開成動作により遊技球が誘導される下始動口（図示しない）において遊技球を検出することを条件に乱数制御等により表示がスクロールする等、所定の変動パターンで所定時間変動（可変）して図柄で停止するようになっている。その際、有効ライン上に２個の停止図柄が同一となった場合にリーチ状態が発生し、リーチ状態において有効ライン上の最後の停止図柄が既に停止している２個の図柄と同一となった場合に大当たり状態が発生する。なお、特別図柄としては数字図柄、アルファベット図柄、キャラクター図柄等が使用可能である。
【００１３】
以下、図３〜図５を参照しながら本実施形態の遊技球誘導装置２０の詳細な構造を説明する。図３（ａ）は本実施形態の遊技球誘導装置２０の全体斜視図、図３（ｂ）はステージ部３１の分解斜視図である。また図４（ａ）は遊技球誘導装置２０の飾り枠を含むステージ部３１の平面図、図４（ｂ）はステージ部３１の正面図、図４（ｃ）は左側面図、図４（ｄ）は右側面図である。また図５はステージ部３１の六面図であり、図５（ａ）はステージ部３１の平面図、図５（ｂ）は正面図、図５（ｃ）は左側面図、図５（ｄ）は右側面図、図５（ｅ）は底面図、図５（ｆ）は背面図である。
本実施形態の遊技球誘導装置２０は、図３（ａ）に示す遊技球入口２１から入球した遊技球が誘導装置の側面に形成されたワープ通路２２を通って、その遊技球出口２３からステージ部３１へ排出される。
ステージ部３１は、左右方向に延びる２本の遊技球揺動通路として遊技者から見て最も奥側（後方）に第１遊技球揺動通路３２、その手前（前方）に第２遊技球揺動通路３３を備えている。
【００１４】
第１遊技球揺動通路３２は、その左右両側が中央部よりも高くなるように形成されていると共に、その左右両側から中央部にかけてそれぞれ緩やかに湾曲した弓状（凹状）をなすように構成されている。第１遊技球揺動通路３２の左右両側から中央部にかけて形成された弓状面の最も低い位置には遊技球を遊技盤面の前方側（遊技者側）に誘導するための略半円状の誘導面（第２誘導面）３２ａがそれぞれ形成されている。また第１遊技球揺動通路３２の中央部にも遊技球を遊技盤面の前方側に誘導するための略半円状の誘導面（第１誘導面）３２ｂが形成されている。
第２遊技球揺動通路３３もまた、上記第１遊技球揺動通路３２と同様、左右両側が中央部よりも高くなるように形成されていると共に、その左右両側から中央部にかけてそれぞれ緩やかに湾曲した弓状をなすように構成されている。
さらに第２遊技球揺動通路３３の左右両側から中央部にかけてそれぞれ形成された弓状面の最も低い位置には、遊技球を遊技盤面の前方側に誘導するための略半円状の誘導面（第４誘導面）３３ａが夫々形成されており、遊技球はこの誘導面３３ａの前縁から落下する。
【００１５】
また第２遊技球揺動通路３３の中央部には遊技球を遊技盤面の後方側（奥側）に誘導するための略半円状の誘導面（第３誘導面）３３ｂと、この誘導面３３ｂの手前側に突起３３ｃが設けられている。突起３３ｃは遊技球を誘導面３３ｂもしくは第２遊技球揺動通路３３の左右両側に振り分けるように機能しており、これにより、遊技球が第２遊技球揺動通路３３の中央部に滞留するのを防止している。
誘導面３３ｂの後方には、図３（ｂ）に示すような第２誘導通路３４が配置されている。第２誘導通路３４は、第２遊技球揺動通路３３の誘導面３３ｂにより後方側に誘導された遊技球を第２遊技球揺動通路３３の下方を通って前方側へ誘導する誘導通路である。第２誘導通路３４には遊技球を所定位置へと誘導するための２本の誘導溝３４ａが形成されている。このような第２誘導通路３４では、遊技球を確実に前方側へ誘導するために、誘導溝３４ａには僅かな傾斜と段差が設けられている。
さらに本実施形態の遊技球誘導装置２０においては、第１遊技球揺動通路３２の誘導面３２ｂの前方に、第２遊技球揺動通路３３を後方から前方へ跨ぐようなブリッジ形状の透明部材または半透明部材からなる第１遊技球誘導通路３５が配置されている。この第１遊技球誘導通路３５上には、遊技球を所定位置へ誘導するための２本の誘導溝３５ａが形成されている。また第１遊技球誘導通路３５の２本の誘導溝３５ａ、３５ａの間にはスリット部３５ｂが形成されており、遊技者は、透明部材または半透明部材の第１遊技球誘導通路３５を透して、或いはスリット部３５ｂを介して第２遊技球揺動通路３３上の遊技球が誘導面３３ｂにより後方側の第２遊技球誘導通路３４へと導かれて行く様子を視認できるように構成されている。また第１遊技球誘導通路３５の正面には、開口部３５ｃが設けられており、この開口部３５ｃを介して第２遊技球誘導通路３４からの遊技球が落下する。
【００１６】
次に、上記したような本実施形態の遊技球誘導装置２０のステージ部３１における遊技球の流れを説明する。
図６（ａ）〜（ｃ）は、本実施形態の遊技球誘導装置２０のステージ部３１における遊技球の流れの一例をそれぞれ示した図である。なお、ここでは、遊技球誘導装置２０の遊技球入口２１に入った遊技球がステージ部３１の左側に配置された遊技球出口２３から第１遊技球揺動通路３２上に排出される場合を例に挙げて説明する。
先ず、図６（ａ）を用いて第１の遊技球経路を説明する。
図６（ａ）に示すように、ステージ部３１の第１遊技球揺動通路３２上の左側にワープ通路２２の遊技球出口２３より遊技球Ｐ１が排出されると、遊技球Ｐ１は第１遊技球揺動通路３２上を左右に揺動する。
ここで、例えば遊技球がＰ２→Ｐ３→Ｐ４といった経路で揺動して第１遊技球揺動通路３２上の中央部に設けられている誘導面３２ｂにより捕捉されると、遊技球Ｐ４は第１遊技球誘導通路３５上の２本の誘導溝３５ａによって遊技盤３の盤面の前方側へと誘導されてＰ５→Ｐ６を通って遊技盤３の盤面上に落下する。このとき、遊技球が落下する位置には、先に説明した可動入賞装置１１の上始動口１３が配置されている。従って、第１遊技球揺動通路３２上の誘導面３２ｂにより捕捉されて第１遊技球誘導通路３５へと誘導された遊技球は可動入賞装置１１の上始動口１３又は電動式チューリップ１７へ入賞する確率が高くなる。
【００１７】
次に、図６（ｂ）を用いて第２の遊技球経路について説明する。
この場合も、図６（ｂ）に示すように、ステージ部３１の第１遊技球揺動通路３２上の左側にワープ通路２２の遊技球出口２３より遊技球Ｐ１が排出されると、遊技球Ｐ１は第１遊技球揺動通路３２上を左右に揺動する。ここで、例えば、遊技球がＰ２→Ｐ３→Ｐ４→Ｐ５といった経路で揺動して第１遊技球揺動通路３２上の誘導面３２ａにより捕捉されると、遊技球Ｐ５は第２遊技球揺動通路３３上へ落下する。すると落下した遊技球Ｐ５は、第２遊技球揺動通路３３上を左右に揺動する。例えば遊技球がＰ６→Ｐ７→Ｐ８といった経路で揺動する。そして、第２遊技球揺動通路３３上の中央部に形成された誘導面３３ｂにより捕捉されると遊技球Ｐ８は第２遊技球揺動通路３３の後方に配置された第２遊技球誘導通路３４内の２本の誘導溝３４ａにより遊技盤３の盤面の前方側へと誘導され、Ｐ９→Ｐ１０を通って開口部３５ｃから落下する。この場合も遊技球が落下する位置には可動入賞装置１１の上始動口１３が配置されており、遊技球は可動入賞装置１１の上始動口１３又は電動式チューリップ１７へ入賞する確率が高くなる。
【００１８】
次に、図６（ｃ）を用いて第３の遊技球経路について説明する。なお、第１遊技球揺動通路３２上における遊技球の流れは、図６（ｂ）に示した第２の遊技球経路と同じなので説明は省略する。この場合、図６（ｃ）に示すように、第１遊技球揺動通路３２上の誘導面３２ａより第２遊技球揺動通路３３上に落下した遊技球Ｐ５は、第２遊技球揺動通路３３上をＰ６→Ｐ７といった経路で揺動する。そして、第２遊技球揺動通路３３上の誘導面３３ａにより捕捉されると、遊技球Ｐ７は誘導面３３ａにより遊技盤３の前方側へと誘導されて遊技盤３の盤面上に落下する。この場合は遊技球が落下する位置には、可動入賞装置１１の上始動口１３が配置されていないことから遊技球が可動入賞装置１１の上始動口１３や電動式チューリップ１７へ入賞する確率が低くなる。
なお、上記した第１及び第２第１遊技球揺動通路３２、３３上における遊技球の揺動態様はあくまでも一例であり、第１及び第２第１遊技球揺動通路３２、３３上に誘導されたときの遊技球の速度等によって第１及び第２第１遊技球揺動通路３２、３３上を複数回揺動した後、何れかの誘導面により捕捉されたり、或いは揺動することなく誘導面により捕捉されたりすることがあるのは言うまでもない。
【００１９】
また、本実施形態では、遊技球誘導装置２０の遊技球入口２１に入った遊技球がステージ部３１の左側に配置されたワープ通路２２の遊技球出口２３から第１遊技球揺動通路３２上に排出される場合を例に挙げて説明したが、遊技球入口２１に入った遊技球がステージ部３１の右側に配置されたワープ通路の遊技球出口から第１遊技球揺動通路３２上に排出された場合も同様である。
このように本実施形態のパチンコ遊技機においては、遊技球誘導装置２０における遊技球経路として、第１〜第３の遊技球誘導経路を形成したことで、遊技者に対して興趣のある遊技を提供することが可能になる。
特に、本実施形態では、特定入賞口である可動入賞装置１１への入賞確率が高い遊技球の誘導経路として、第２遊技球揺動通路３３から第２遊技球誘導通路３４を通って可動入賞装置１１へ遊技球を誘導する経路と、第１遊技球揺動通路３２から第２遊技球揺動通路３３を跨いで配置された第１遊技球誘導通路３５を通って可動入賞装置１１へ遊技球を誘導する経路と、を形成したことで、遊技球誘導装置２０のステージ部における遊技球の流れが遊技者の興趣を高め、遊技者に飽きのこないゲーム性を提供することができる。
【００２０】
さらに、本実施形態の遊技球誘導装置２０においては、第２遊技球誘導通路３４、３５には遊技球を所定位置へ誘導するための２本の誘導溝３４ａ、３５ａが夫々形成されていることから、可動入賞装置１１の上始動口１３への遊技球の入賞確率を高めることができる。
さらにまた、本実施形態の遊技球誘導装置２０においては、第２遊技球揺動通路３３を跨いで配置した第１遊技球誘導通路３５にスリット部３５ｂを形成したことで、遊技者は透明部材または半透明部材の第１遊技球誘導通路３５を透して、或いはスリット部３５ｂを介して第２遊技球揺動通路３３上の遊技球が誘導面３３ｂにより後方側の第２遊技球誘導通路３４へと導かれて行く様子を視認することができる。つまり、第２遊技球揺動通路３３を跨いで配置した第１遊技球誘導通路３５により第２遊技球揺動通路３３上の遊技球の視認が邪魔されることがないため、遊技球誘導装置２０における遊技者の興趣が損なわれるといったこともない。
【図面の簡単な説明】
【００２１】
【図１】本発明の実施形態に係るパチンコ遊技機の全体正面図。
【図２】本実施形態の遊技盤３の一例を示した正面図。
【図３】（ａ）は本実施形態の遊技球誘導装置２０の全体斜視図、（ｂ）はステージ部３１の分解斜視図。
【図４】（ａ）は遊技球誘導装置２０の飾り枠を含むステージ部３１の平面図、（ｂ）は正面図、（ｃ）は左側面図、（ｄ）は右側面図。
【図５】（ａ）はステージ部３１の平面図、（ｂ）は正面図、（ｃ）は左側面図、（ｄ）は右側面図、（ｅ）は底面図、（ｆ）は背面図。
【図６】（ａ）乃至（ｃ）は本実施形態の遊技球誘導装置２０のステージ部３１における遊技球の流れの一例をそれぞれ示した図。
【符号の説明】
【００２２】
１…パチンコ遊技機、２…枠、３…遊技盤、４…受け皿部、５…発射レバー、８…遊技領域、１０…普通図柄表示装置、１１…可動入賞装置、１３…上始動口、１４…ゲート、１５…大入賞口、１６…風車、１７…電動式チューリップ、１８…普通入賞口、１９…アウト口、２０…遊技球誘導装置、２１…遊技球入口、２２…ワープ通路、２３…遊技球出口、３１…ステージ部、３２…第１遊技球揺動通路、３２ａ、３２ｂ、３３ａ、３３ｂ…誘導面、３３…第２遊技球揺動通路、３４…第２遊技球誘導通路、３４ａ、３５ａ…誘導溝、３５…第１遊技球誘導通路、３５ｂ…スリット部、３５ｃ…開口部
【図１】
2008043460.tif 000003
【図２】
2008043460.tif 000004
【図３】
2008043460.tif 000005
【図４】
2008043460.tif 000006
【図５】
2008043460.tif 000007
【図６】
2008043460.tif 000008